(57)【特許請求の範囲】
【請求項１】
サービス伝送方法であって、
基地局が端末へ狭い帯域幅受信モードの切り替えメッセージを送信し、前記端末が幅がシステム帯域幅の幅より小さい指定の狭い帯域幅へ切り替えて情報を受信するように指示することと、
プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることと、を含み、
さらに、前記狭い帯域幅に位置する物理下りリンク制御チャネルにおいて前記端末に対する下りリンク制御情報を送信することを含み、
前記下りリンク制御情報は前記端末に対応する端末の固有探索空間に位置し、且つ前記端末に対応する制御チャネルユニットのアグリゲーションレベルを用い、前記端末に対応する制御チャネルユニットのアグリゲーションレベルは固定のものであることを特徴とするサービス伝送方法。
【請求項２】
前記基地局が端末へ狭い帯域幅受信モードの切り替えメッセージを送信し、前記端末が指定の狭い帯域幅へ切り替えて情報を受信するように指示した後、前記方法は、さらに、  前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ送信することを含むことを特徴とする請求項１に記載の方法。
【請求項３】
前記プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることは、
基地局が前記端末の前記狭い帯域幅受信モードでの期間情報及び前記端末の前記プレスケジューリングサービス受信用の期間情報を設定して前記端末へ送信することと、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングすることと、を含むことを特徴とする請求項２に記載の方法。
【請求項４】
前記プレスケジューリングサービスの占有帯域幅がシステム帯域幅であると、プレスケジューリングサービスを伝送する必要がある場合、前記基地局は前記端末がシステム帯域幅へ切り替えて、前記プレスケジューリングサービスを受信するようにスケジューリングし、
前記プレスケジューリングサービスの占有帯域幅がシステム帯域幅の一部であると、プレスケジューリングサービスを伝送する必要がある場合、前記基地局は前記端末が前記プレスケジューリングサービスの占有帯域幅へ切り替えて、前記プレスケジューリングサービスを受信するようにスケジューリングし、
前記プレスケジューリングサービスの占有帯域幅が前記狭い帯域幅内に位置すると、プレスケジューリングサービスを伝送する必要がある場合、前記基地局は前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することを特徴とする請求項１−３のいずれか１項に記載の方法。
【請求項５】
サービス伝送方法であって、
端末が基地局により送信された狭い帯域幅受信モードの切り替えメッセージを受信し、幅がシステム帯域幅の幅より小さい指定の狭い帯域幅へ切り替えて情報を受信することと、
プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することと、を含み、
さらに、前記狭い帯域幅に位置する物理下りリンク制御チャネルにおける前記端末に対する下りリンク制御情報を受信することを含み、
前記下りリンク制御情報は前記端末に対応する端末の固有探索空間に位置し、且つ前記端末に対応する制御チャネルユニットのアグリゲーションレベルを用い、前記端末に対応する制御チャネルユニットのアグリゲーションレベルは固定のものであることを特徴とするサービス伝送方法。
【請求項６】
前記端末が基地局により送信された狭い帯域幅受信モードの切り替えメッセージを受信し、指定の狭い帯域幅へ切り替えて情報を受信した後に、
前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を受信することをさらに含むことを特徴とする請求項５に記載の方法。
【請求項７】
前記プレスケジューリングサービスを伝送する必要がある場合、前記端末が前記基地局のスケジューリングに応じて、システム帯域幅又は前記プレスケジューリングサービスの占有帯域幅へ切り替えて前記プレスケジューリングサービスを受信することは、
前記基地局により送信された前記端末の前記狭い帯域幅受信モードでの期間情報及び前記端末の前記プレスケジューリングサービス受信用の期間情報を受信することと、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することと、を含むことを特徴とする請求項６に記載の方法。
【請求項８】
前記プレスケジューリングサービスの占有帯域幅がシステム帯域幅であると、プレスケジューリングサービスを伝送する必要がある場合、前記端末はシステム帯域幅へ切り替えて前記プレスケジューリングサービスを受信し、
前記プレスケジューリングサービスの占有帯域幅がシステム帯域幅の一部であると、プレスケジューリングサービスを伝送する必要がある場合、前記端末は前記プレスケジューリングサービスの占有帯域幅へ切り替えて前記プレスケジューリングサービスを受信し、  前記プレスケジューリングサービスの占有帯域幅が前記狭い帯域幅内に位置すると、プレスケジューリングサービスを伝送する必要がある場合、前記端末は前記プレスケジューリングサービスの占有帯域幅へ切り替えて前記プレスケジューリングサービスを受信し、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを受信することを特徴とする請求項５−７のいずれか１項に記載の方法。
【請求項９】
端末へ狭い帯域幅受信モードの切り替えメッセージを送信し、前記端末が幅がシステム帯域幅の幅より小さい指定の狭い帯域幅へ切り替えて情報を受信するように指示するための送信ユニットと、
プレスケジューリングサービスを伝送する必要がある場合、前記端末がシステム帯域幅又は前記プレスケジューリングサービスの占有帯域幅へ切り替えて、前記プレスケジューリングサービスを受信するようにスケジューリングするためのスケジューリングユニットとを備え、
前記送信ユニットはさらに前記狭い帯域幅に位置する物理下りリンク制御チャネルにおいて前記端末に対する下りリンク制御情報を送信することに用いられ、
前記下りリンク制御情報は前記端末に対応する端末の固有探索空間に位置し、且つ前記端末に対応する制御チャネルユニットのアグリゲーションレベルを用い、前記端末に対応する制御チャネルユニットのアグリゲーションレベルは固定のものであることを特徴とする基地局。
【請求項１０】
前記送信ユニットは、さらに、前記端末へ狭い帯域幅受信モードの切り替えメッセージを送信し、前記端末が指定の狭い帯域幅へ切り替えて情報を受信するように指示した後に、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ送信することに用いられることを特徴とする請求項９に記載の基地局。
【請求項１１】
前記スケジューリングユニットは、具体的には、
前記端末の前記狭い帯域幅受信モードでの期間情報及び前記端末の前記プレスケジューリングサービス受信用の期間情報を設定して前記端末へ送信し、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングすることに用いられることを特徴とする請求項１０に記載の基地局。
【請求項１２】
前記プレスケジューリングサービスの占有帯域幅がシステム帯域幅であると、プレスケジューリングサービスを伝送する必要がある場合、前記スケジューリングユニットは、具体的には、前記端末がシステム帯域幅へ切り替えて前記プレスケジューリングサービスを受信するようにスケジューリングすることに用いられ、
前記プレスケジューリングサービスの占有帯域幅がシステム帯域幅の一部であると、プレスケジューリングサービスを伝送する必要がある場合、前記スケジューリングユニットは、具体的には、前記端末が前記プレスケジューリングサービスの占有帯域幅へ切り替えて前記プレスケジューリングサービスを受信するようにスケジューリングすることに用いられ、
前記プレスケジューリングサービスの占有帯域幅が前記狭い帯域幅内に位置すると、プレスケジューリングサービスを伝送する必要がある場合、前記スケジューリングユニットは、具体的には、前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することに用いられることを特徴とする請求項９−１１のいずれか１項に記載の基地局。
【請求項１３】
端末であって、
基地局により送信された狭い帯域幅受信モードの切り替えメッセージを受信するための受信ユニットと、
前記切り替えメッセージに基づいて幅がシステム帯域幅の幅より小さい指定の狭い帯域幅へ切り替えて情報を受信するための切り替えユニットとを備え、
前記切り替えユニットは、さらに、プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することに用いられ、
前記受信ユニットは、さらに、前記狭い帯域幅に位置する物理下りリンク制御チャネルにおける前記端末に対する下りリンク制御情報を受信し、
前記下りリンク制御情報は前記端末に対応する端末の固有探索空間に位置し、且つ前記端末に対応する制御チャネルユニットのアグリゲーションレベルを用い、前記端末に対応する制御チャネルユニットのアグリゲーションレベルは固定のものであることに用いられることを特徴とする端末。
【請求項１４】
前記受信ユニットは、さらに、基地局により送信された狭い帯域幅受信モードの切り替えメッセージを受信した後、前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を受信することに用いられることを特徴とする請求項１３に記載の端末。
【請求項１５】
前記受信ユニットは、具体的には、
前記基地局により送信された前記端末の前記狭い帯域幅受信モードでの期間情報及び前記端末の前記プレスケジューリングサービス受信用の期間情報を受信することに用いられ、
前記切り替えユニットは、具体的には、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することに用いられることを特徴とする請求項１４に記載の端末。
【請求項１６】
前記プレスケジューリングサービスの占有帯域幅がシステム帯域幅であると、プレスケジューリングサービスを伝送する必要がある場合、前記切り替えユニットは、具体的には、システム帯域幅へ切り替えて前記プレスケジューリングサービスを受信することに用いられ、
前記プレスケジューリングサービスの占有帯域幅がシステム帯域幅の一部であると、プレスケジューリングサービスを伝送する必要がある場合、前記切り替えユニットは、具体的には、前記プレスケジューリングサービスの占有帯域幅へ切り替えて前記プレスケジューリングサービスを受信することに用いられ、
前記プレスケジューリングサービスの占有帯域幅が前記狭い帯域幅内に位置すると、プレスケジューリングサービスを伝送する必要がある場合、前記切り替えユニットは、具体的には、前記プレスケジューリングサービスの占有帯域幅へ切り替えて前記プレスケジューリングサービスを受信することに用いられ、前記受信ユニットは、さらに、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを受信することに用いられることを特徴とする請求項１３−１５のいずれか１項に記載の端末。
【発明の詳細な説明】
【技術分野】
【０００１】
本発明は通信技術分野に関し、特にサービス伝送方法、基地局及び端末に関する。
【背景技術】
【０００２】
ロングタームエボリューション（Ｌｏｎｇ  Ｔｅｒｍ  Ｅｖｏｌｕｔｉｏｎ、ＬＴＥ）システムにおいては、端末はシステム帯域幅全体において下りリンク信号を受信する。下りリンク信号は、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び下りリンク共通基準信号、例えばセル固有基準信号（Ｃｅｌｌ−ｓｐｅｃｉｆｉｃ  Ｒｅｆｅｒｅｎｃｅ  Ｓｉｇｎａｌｓ、ＣＲＳ）及びチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ、ＣＳＩ−ＲＳ）を含む。ＬＴＥシステムのサポートするシステム帯域幅は１．４ＭＨｚ、３ＭＨｚ、５ＭＨｚ、１０ＭＨｚ、１５ＭＨｚ及び２０ＭＨｚがある。典型的で多く使用されているシステム帯域幅は２０ＭＨｚ及び１０ＭＨｚである。下りリンクチャネルにおいてそれぞれ１００個の物理リソースブロック（Ｐｈｙｓｉｃａｌ  Ｒｅｓｏｕｒｃｅ  Ｂｌｏｃｋ、ＰＲＢ）及び５０個のＰＲＢに対応する。
【０００３】
従来のＬＴＥシステムでは、端末はずっと下りリンクシステム帯域幅全体においてＰＤＣＣＨをブラインドテストするため、端末の電力損失が大きくなってしまう。特に、第５世代移動通信技術（５−Ｇｅｎｅｒａｔｉｏｎ、５Ｇ）システム及び後続のシステム帯域幅が大きい移動通信技術システムでは、キャリアの帯域幅が非常に広く、たとえば２００ＭＨｚに達する可能性がある。端末が依然として、ＬＴＥシステム、すなわち第４世代移動通信技術（４−Ｇｅｎｅｒａｔｉｏｎ、４Ｇ）システムと同様に、帯域幅全体においてＰＤＣＣＨを受信する場合、端末の電力損失が非常に高くなってしまう。マシンタイプコミュニケーション（Ｍａｃｈｉｎｅ  Ｔｙｐｅ  Ｃｏｍｍｕｎｉｃａｔｉｏｎｓ、ＭＴＣ）をサポートする端末に対しては、１．４ＭＨｚすなわち６つのＰＲＢ帯域幅において下りリンク信号を復調することができる。このタイプの端末は、下りリンク帯域幅が小さくなるため、端末の電力損失が節約される。しかし、このタイプの端末が狭い帯域幅、例えば６つのＰＲＢにおいてしか動作できないので、端末の機能が大きく制限される。狭い帯域幅においては、システム帯域幅にスケジューリングするデータを受信することができない。いくつかのプレスケジューリングサービス、例えばボルテ（ＶｏＬＴＥ）サービスは、セミパーシステントスケジューリング（Ｓｅｍｉ−Ｐｅｒｓｉｓｔｅｎｔ  Ｓｃｈｅｄｕｌｉｎｇ、ＳＰＳ）方式でシステム帯域幅において伝送される。このタイプのプレスケジューリングサービスに対しては、基地局は初期スケジューリングにはＰＤＣＣＨにより端末の現在のスケジューリング情報を指示し、端末はセミパーシステントスケジューリングであると認識すると、現在のスケジューリング情報を記憶し、固定周期おきに同じ時間周波数リソース位置で該サービスデータの送信又は受信を行う。端末が狭い帯域幅において信号を受信すると、システム性能が大きく制限されるため、プレスケジューリングサービスの伝送を完了できない可能性がある。
【発明の概要】
【課題を解決するための手段】
【０００４】
本発明の実施例は、端末が狭い帯域幅とシステム帯域幅で柔軟に切り替えることができ、端末の電力損失とシステム性能のバランスを取れ、プレスケジューリングサービスの伝送を順調に完了するサービス伝送方法、基地局及び端末を提供する。
【０００５】
本発明の実施例の第１形態は、
基地局が端末へ狭い帯域幅受信モードの切り替えメッセージを送信し、前記端末が幅がシステム帯域幅の幅より小さい指定の狭い帯域幅へ切り替えて情報を受信するように指示することと、
プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることと、を含むサービス伝送方法を提供する。
【０００６】
可能な一実現形態においては、前記方法は、
前記狭い帯域幅に位置する物理下りリンク制御チャネルにおいて前記端末に対する下りリンク制御情報を送信することをさらに含み、
前記下りリンク制御情報は前記端末に対応する端末の固有探索空間に位置し、且つ前記端末に対応する制御チャネルユニットのアグリゲーションレベルを用いる。
【０００７】
可能な一実現形態においては、前記基地局が端末へ狭い帯域幅受信モードの切り替えメッセージを送信し、前記端末が指定の狭い帯域幅へ切り替えて情報を受信するように指示する前、前記方法は、
前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ送信することをさらに含む。
【０００８】
可能な一実現形態においては、前記プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることは、
基地局が前記端末の前記狭い帯域幅受信モードでの期間情報及び前記端末の前記プレスケジューリングサービス受信用の期間情報を設定して前記端末へ送信することと、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングすることと、を含む。
【０００９】
可能な一実現形態においては、前記プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることは、
前記プレスケジューリングサービスの周期情報に基づいて前記狭い帯域幅受信モードでの前記端末がプリセット周期でシステム帯域幅又は前記プレスケジューリングサービスの占有帯域幅へ切り替えて、前記プレスケジューリングサービスを受信するように設定することを含む。
【００１０】
可能な一実現形態においては、前記プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることは、
前記狭い帯域幅の物理下りリンク制御チャネルの下りリンク制御情報において、基地局が前記プレスケジューリングサービスのプロセス識別子、及び前記端末が前記システム帯域幅又は前記プレスケジューリングサービスの占有帯域幅へ切り替える第１時間情報を送信し、前記下りリンク制御情報は前記端末が前記システム帯域幅又は前記プレスケジューリングサービスの占有帯域幅へ切り替えるようにトリガーすることに用いられることと、
前記下りリンク制御情報において前記端末が前記狭い帯域幅受信モードに戻る第２時間情報を送信し、又はシステム帯域幅の物理下りリンク制御チャネルのプリセット領域において、前記端末が前記狭い帯域幅受信モードに戻るようにトリガーするトリガー信号を伝送することと、
前記第１時間情報及び第２時間情報に基づき又は前記第１時間情報及び前記トリガー信号に基づき、前記端末がシステム帯域幅又は前記プレスケジューリングサービスの占有帯域幅へ切り替えて、前記プレスケジューリングサービスを受信するようにスケジューリングすることと、を含む。
【００１１】
可能な一実現形態においては、前記プレスケジューリングサービスの占有帯域幅がシステム帯域幅であると、プレスケジューリングサービスを伝送する必要がある場合、前記基地局は前記端末がシステム帯域幅へ切り替えて、前記プレスケジューリングサービスを受信するようにスケジューリングし、
前記プレスケジューリングサービスの占有帯域幅がシステム帯域幅の一部であると、プレスケジューリングサービスを伝送する必要がある場合、前記基地局は前記端末が前記プレスケジューリングサービスの占有帯域幅へ切り替えて、前記プレスケジューリングサービスを受信するようにスケジューリングし、
前記プレスケジューリングサービスの占有帯域幅が前記狭い帯域幅内に位置すると、プレスケジューリングサービスを伝送する必要がある場合、前記基地局は前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示する。
【００１２】
本発明の実施例の第２形態は、
端末が基地局により送信された狭い帯域幅受信モードの切り替えメッセージを受信し、幅がシステム帯域幅の幅より小さい指定の狭い帯域幅へ切り替えて情報を受信することと、
プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することと、を含むサービス伝送方法を提供する。
【００１３】
可能な一実現形態においては、前記方法は、
前記狭い帯域幅に位置する物理下りリンク制御チャネルにおける前記端末に対する下りリンク制御情報を受信することをさらに含み、
前記下りリンク制御情報は前記端末に対応する端末の固有探索空間に位置し、且つ前記端末に対応する制御チャネルユニットのアグリゲーションレベルを用いる。
【００１４】
可能な一実現形態においては、前記端末が基地局により送信された狭い帯域幅受信モードの切り替えメッセージを受信し、指定の狭い帯域幅へ切り替えて情報を受信する前に、前記方法は、
前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を受信することをさらに含む。
【００１５】
可能な一実現形態においては、前記プレスケジューリングサービスを伝送する必要がある場合、前記端末が前記基地局のスケジューリングに応じて、システム帯域幅又は前記プレスケジューリングサービスの占有帯域幅へ切り替えて前記プレスケジューリングサービスを受信することは、
前記基地局により送信された前記端末の前記狭い帯域幅受信モードでの期間情報及び前記端末の前記プレスケジューリングサービス受信用の期間情報を受信することと、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することと、を含む。
【００１６】
可能な一実現形態においては、前記プレスケジューリングサービスを伝送する必要がある場合、前記端末が前記基地局のスケジューリングに応じて、システム帯域幅又は前記プレスケジューリングサービスの占有帯域幅へ切り替えて前記プレスケジューリングサービスを受信することは、
前記基地局が前記プレスケジューリングサービスの周期情報に基づいて設定したプリセット周期を受信し、前記プリセット周期に応じてシステム帯域幅又は前記プレスケジューリングサービスの占有帯域幅へ切り替えて、前記プレスケジューリングサービスを受信することを含む。
【００１７】
可能な一実現形態においては、前記プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することは、
前記狭い帯域幅の物理下りリンク制御チャネルの下りリンク制御情報において前記基地局により送信された前記プレスケジューリングサービスのプロセス識別子、及び前記端末を指示して前記システム帯域幅又は前記プレスケジューリングサービスの占有帯域幅へ切り替える第１時間情報を受信し、前記下りリンク制御情報は前記端末が前記システム帯域幅又は前記プレスケジューリングサービスの占有帯域幅へ切り替えるようにトリガーすることに用いられることと、
前記基地局が前記下りリンク制御情報により送信した、前記端末が前記狭い帯域幅受信モードに戻るように指示する第２時間情報を受信し、又はシステム帯域幅の物理下りリンク制御チャネルのプリセット領域において、前記端末が前記狭い帯域幅受信モードに戻るようにトリガーするためのトリガー信号を検出することと、
前記第１時間情報及び第２時間情報に基づき又は前記第１時間情報及び前記トリガー信号に基づき、システム帯域幅又は前記プレスケジューリングサービスの占有帯域幅へ切り替えて前記プレスケジューリングサービスを受信することと、を含む。
【００１８】
可能な一実現形態においては、前記プレスケジューリングサービスの占有帯域幅がシステム帯域幅であると、プレスケジューリングサービスを伝送する必要がある場合、前記端末は、システム帯域幅へ切り替えて前記プレスケジューリングサービスを受信し、
前記プレスケジューリングサービスの占有帯域幅がシステム帯域幅の一部であると、プレスケジューリングサービスを伝送する必要がある場合、前記端末は前記プレスケジューリングサービスの占有帯域幅へ切り替えて前記プレスケジューリングサービスを受信し、
前記プレスケジューリングサービスの占有帯域幅が前記狭い帯域幅内に位置すると、プレスケジューリングサービスを伝送する必要がある場合、前記端末は前記プレスケジューリングサービスの占有帯域幅へ切り替えて前記プレスケジューリングサービスを受信し、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを受信する。
【００１９】
本発明の実施例の第３形態は、
端末へ狭い帯域幅受信モードの切り替えメッセージを送信し、前記端末が幅がシステム帯域幅の幅より小さい指定の狭い帯域幅へ切り替えて情報を受信するように指示するための送信ユニットと、
プレスケジューリングサービスを伝送する必要がある場合、前記端末がシステム帯域幅又は前記プレスケジューリングサービスの占有帯域幅へ切り替えて、前記プレスケジューリングサービスを受信するようにスケジューリングするためのスケジューリングユニットとを備える基地局を提供する。
【００２０】
可能な一実現形態においては、前記送信ユニットは、さらに、前記狭い帯域幅に位置する物理下りリンク制御チャネルにおいて前記端末に対する下りリンク制御情報を送信することに用いられ、
前記下りリンク制御情報は前記端末に対応する端末の固有探索空間に位置し、且つ前記端末に対応する制御チャネルユニットのアグリゲーションレベルを用いる。
【００２１】
可能な一実現形態においては、前記送信ユニットは、さらに、前記端末へ狭い帯域幅受信モードの切り替えメッセージを送信し、前記端末が指定の狭い帯域幅へ切り替えて情報を受信するように指示する前、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ送信することに用いられる。
【００２２】
可能な一実現形態においては、前記スケジューリングユニットは、具体的には、
前記端末の前記狭い帯域幅受信モードでの期間情報及び前記端末の前記プレスケジューリングサービス受信用の期間情報を設定して前記端末へ送信し、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングすることに用いられる。
【００２３】
可能な一実現形態においては、前記スケジューリングユニットは、具体的には、
前記プレスケジューリングサービスの周期情報に基づいて、前記狭い帯域幅受信モードでの前記端末がプリセット周期でシステム帯域幅又は前記プレスケジューリングサービスの占有帯域幅へ切り替えて、前記プレスケジューリングサービスを受信するように設定することに用いられる。
【００２４】
可能な一実現形態においては、前記スケジューリングユニットは、具体的には、
前記狭い帯域幅の物理下りリンク制御チャネルの下りリンク制御情報において、前記プレスケジューリングサービスのプロセス識別子、及び前記端末が前記システム帯域幅又は前記プレスケジューリングサービスの占有帯域幅へ切り替える第１時間情報を送信し、前記下りリンク制御情報は前記端末が前記システム帯域幅又は前記プレスケジューリングサービスの占有帯域幅へ切り替えるようにトリガーすることに用いられことと、
前記下りリンク制御情報において前記端末が前記狭い帯域幅受信モードに戻る第２時間情報を送信し、又はシステム帯域幅の物理下りリンク制御チャネルのプリセット領域において、前記端末が前記狭い帯域幅受信モードに戻るようにトリガーするトリガー信号を伝送することと、
前記第１時間情報及び第２時間情報に基づき又は前記第１時間情報及び前記トリガー信号に基づき、前記端末がシステム帯域幅又は前記プレスケジューリングサービスの占有帯域幅へ切り替えて、前記プレスケジューリングサービスを受信するようにスケジューリングすることとに用いられる。
【００２５】
可能な一実現形態においては、前記プレスケジューリングサービスの占有帯域幅がシステム帯域幅であると、プレスケジューリングサービスを伝送する必要がある場合、前記スケジューリングユニットは、具体的には、前記端末がシステム帯域幅へ切り替えて前記プレスケジューリングサービスを受信するようにスケジューリングすることに用いられ、
前記プレスケジューリングサービスの占有帯域幅がシステム帯域幅の一部であると、プレスケジューリングサービスを伝送する必要がある場合、前記スケジューリングユニットは、具体的には、前記端末が前記プレスケジューリングサービスの占有帯域幅へ切り替えて前記プレスケジューリングサービスを受信するようにスケジューリングすることに用いられ、
前記プレスケジューリングサービスの占有帯域幅が前記狭い帯域幅内に位置すると、プレスケジューリングサービスを伝送する必要がある場合、前記スケジューリングユニットは、具体的には、前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することに用いられる。
【００２６】
本発明の第４形態は、
プロセッサ、メモリ、送受信機及びバスを備え、前記プロセッサ、メモリ、送受信機がバスにより接続され、前記送受信機は信号を受送信し、端末と通信することに用いられ、前記メモリは１組のプログラムコードを記憶することに用いられ、前記プロセッサは、前記メモリに記憶されたプログラムコードを呼び出し、
前記送受信機により端末へ狭い帯域幅受信モードの切り替えメッセージを送信し、前記端末が幅がシステム帯域幅の幅より小さい指定の狭い帯域幅へ切り替えて情報を受信するように指示し、
プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングする操作を実行することに用いられる基地局を提供する。
【００２７】
可能な一実現形態においては、前記プロセッサは、さらに、前記送受信機により前記狭い帯域幅に位置する物理下りリンク制御チャネルにおいて前記端末に対する下りリンク制御情報を送信することに用いられ、
前記下りリンク制御情報は前記端末に対応する端末の固有探索空間に位置し、且つ前記端末に対応する制御チャネルユニットのアグリゲーションレベルを用いる。
【００２８】
可能な一実現形態においては、前記プロセッサは、さらに、前記送受信機により端末へ狭い帯域幅受信モードの切り替えメッセージを送信し、前記端末が指定の狭い帯域幅へ切り替えて情報を受信するように指示する前、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ前記送受信機により送信することに用いられる。
【００２９】
可能な一実現形態においては、前記プロセッサは、具体的には、
前記端末の前記狭い帯域幅受信モードでの期間情報及び前記端末の前記プレスケジューリングサービス受信用の期間情報を設定して前記端末へ送信し、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて、前記プレスケジューリングサービスを受信するようにスケジューリングすることに用いられる。
【００３０】
可能な一実現形態においては、前記プロセッサは、具体的には、
前記プレスケジューリングサービスの周期情報に基づいて、前記狭い帯域幅受信モードでの前記端末がプリセット周期でシステム帯域幅又は前記プレスケジューリングサービスの占有帯域幅へ切り替えて、前記プレスケジューリングサービスを受信するように設定することに用いられる。
【００３１】
可能な一実現形態においては、前記プロセッサは、具体的には、
前記狭い帯域幅の物理下りリンク制御チャネルの下りリンク制御情報において、前記プレスケジューリングサービスのプロセス識別子、及び前記端末が前記システム帯域幅又は前記プレスケジューリングサービスの占有帯域幅へ切り替える第１時間情報を送信し、前記下りリンク制御情報は前記端末が前記システム帯域幅又は前記プレスケジューリングサービスの占有帯域幅へ切り替えるようにトリガーすることに用いられことと、
前記下りリンク制御情報において前記端末が前記狭い帯域幅受信モードに戻る第２時間情報を送信し、又はシステム帯域幅の物理下りリンク制御チャネルのプリセット領域において、前記端末が前記狭い帯域幅受信モードに戻るようにトリガーするトリガー信号を伝送することと、
前記第１時間情報及び第２時間情報に基づき又は前記第１時間情報及び前記トリガー信号に基づき、前記端末がシステム帯域幅又は前記プレスケジューリングサービスの占有帯域幅へ切り替えて、前記プレスケジューリングサービスを受信するようにスケジューリングすることとに用いられる。
【００３２】
可能な一実現形態においては、前記プロセッサは、具体的には、
前記プレスケジューリングサービスの占有帯域幅がシステム帯域幅であると、プレスケジューリングサービスを伝送する必要がある場合、前記端末がシステム帯域幅へ切り替えて前記プレスケジューリングサービスを受信するようにスケジューリングし、
前記プレスケジューリングサービスの占有帯域幅がシステム帯域幅の一部であると、プレスケジューリングサービスを伝送する必要がある場合、前記端末が前記プレスケジューリングサービスの占有帯域幅へ切り替えて、前記プレスケジューリングサービスを受信するようにスケジューリングし、
前記プレスケジューリングサービスの占有帯域幅が前記狭い帯域幅内に位置すると、プレスケジューリングサービスを伝送する必要がある場合、前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することに用いられる。
【００３３】
本発明の実施例の第５形態は、端末を提供し、前記端末は、
基地局により送信された狭い帯域幅受信モードの切り替えメッセージを受信するための受信ユニットと、
前記切り替えメッセージに基づいて幅がシステム帯域幅の幅より小さい指定の狭い帯域幅へ切り替えて情報を受信するための切り替えユニットとを備え、
前記切り替えユニットは、さらに、プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することに用いられる。
【００３４】
可能な一実現形態においては、前記受信ユニットは、さらに、前記狭い帯域幅に位置する物理下りリンク制御チャネルにおける前記端末に対する下りリンク制御情報を受信し、
前記下りリンク制御情報は前記端末に対応する端末の固有探索空間に位置し、且つ前記端末に対応する制御チャネルユニットのアグリゲーションレベルを用いることに用いられる。
【００３５】
可能な一実現形態においては、前記受信ユニットは、さらに、基地局により送信された狭い帯域幅受信モードの切り替えメッセージを受信する前、前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を受信することに用いられる。
【００３６】
可能な一実現形態においては、前記受信ユニットは、具体的には、
前記基地局により送信された前記端末の前記狭い帯域幅受信モードでの期間情報及び前記端末の前記プレスケジューリングサービス受信用の期間情報を受信することに用いられ、
前記切り替えユニットは、具体的には、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することに用いられる。
【００３７】
可能な一実現形態においては、前記受信ユニットは、具体的には、
前記基地局が前記プレスケジューリングサービスの周期情報に基づいて設定したプリセット周期を受信することに用いられ、
前記切り替えユニットは、具体的には、
前記プリセット周期に応じてシステム帯域幅又は前記プレスケジューリングサービスの占有帯域幅へ切り替えて、前記プレスケジューリングサービスを受信することに用いられる。
【００３８】
可能な一実現形態においては、前記受信ユニットは、具体的には、
前記狭い帯域幅の物理下りリンク制御チャネルの下りリンク制御情報において前記基地局により送信された前記プレスケジューリングサービスのプロセス識別子、及び前記端末を指示して前記システム帯域幅又は前記プレスケジューリングサービスの占有帯域幅へ切り替える第１時間情報を受信し、前記下りリンク制御情報は前記端末が前記システム帯域幅又は前記プレスケジューリングサービスの占有帯域幅へ切り替えるようにトリガーすることに用いられることと、
前記基地局が前記下りリンク制御情報により送信した、前記端末が前記狭い帯域幅受信モードに戻るように指示する第２時間情報を受信し、又はシステム帯域幅の物理下りリンク制御チャネルのプリセット領域において、前記端末が前記狭い帯域幅受信モードに戻るようにトリガーするためのトリガー信号を検出することとに用いられ、
前記切り替えユニットは、具体的には、
前記第１時間情報及び第２時間情報に基づき又は前記第１時間情報及び前記トリガー信号に基づき、システム帯域幅又は前記プレスケジューリングサービスの占有帯域幅へ切り替えて前記プレスケジューリングサービスを受信することに用いられる。
【００３９】
可能な一実現形態においては、前記プレスケジューリングサービスの占有帯域幅がシステム帯域幅であると、プレスケジューリングサービスを伝送する必要がある場合、前記切り替えユニットは、具体的には、システム帯域幅へ切り替えて前記プレスケジューリングサービスを受信することに用いられ、
前記プレスケジューリングサービスの占有帯域幅がシステム帯域幅の一部であると、プレスケジューリングサービスを伝送する必要がある場合、前記切り替えユニットは、具体的には、前記プレスケジューリングサービスの占有帯域幅へ切り替えて前記プレスケジューリングサービスを受信することに用いられ、
前記プレスケジューリングサービスの占有帯域幅が前記狭い帯域幅内に位置すると、プレスケジューリングサービスを伝送する必要がある場合、前記切り替えユニットは、具体的には、前記プレスケジューリングサービスの占有帯域幅へ切り替えて前記プレスケジューリングサービスを受信することに用いられ、前記受信ユニットは、さらに、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを受信することに用いられる。
【００４０】
本発明の実施例の第６形態は、端末を提供し、前記端末は、
プロセッサ、メモリ、送信機、受信機及びバスを備え、前記プロセッサ、メモリ、送信機、受信機がバスにより接続され、前記送信機は信号を送信することに用いられ、前記受信機は信号を受信することに用いられ、前記送信機及び前記受信機がそれぞれ独立設置され又は集積設置され、前記メモリは１組のプログラムコードを記憶することに用いられ、前記プロセッサは、前記メモリに記憶されたプログラムコードを呼び出し、
基地局により送信された狭い帯域幅受信モードの切り替えメッセージを前記受信機により受信し、幅がシステム帯域幅の幅より小さい指定の狭い帯域幅へ切り替えて情報を受信し、
プレスケジューリングサービスを伝送する必要がある場合、前記基地局のスケジューリングに応じて、システム帯域幅又は前記プレスケジューリングサービスの占有帯域幅へ切り替えて前記プレスケジューリングサービスを受信する操作を実行することに用いられる。
【００４１】
可能な一実現形態においては、前記プロセッサは、さらに、前記受信機により前記狭い帯域幅に位置する物理下りリンク制御チャネルにおける前記端末に対する下りリンク制御情報を受信し、
前記下りリンク制御情報は前記端末に対応する端末の固有探索空間に位置し、且つ前記端末に対応する制御チャネルユニットのアグリゲーションレベルを用いることに用いられる。
【００４２】
可能な一実現形態においては、前記プロセッサは、さらに、基地局により送信された狭い帯域幅受信モードの切り替えメッセージを前記受信機により受信し、指定の狭い帯域幅へ切り替えて情報を受信する前に、前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記受信機により受信することに用いられる。
【００４３】
可能な一実現形態においては、前記プロセッサは、具体的には、前記基地局により送信された前記端末の前記狭い帯域幅受信モードでの期間情報及び前記端末の前記プレスケジューリングサービス受信用の期間情報を前記受信機により受信し、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することに用いられる。
【００４４】
可能な一実現形態においては、前記プロセッサは、具体的には、
前記基地局が前記プレスケジューリングサービスの周期情報に基づいて設定したプリセット周期を前記受信機により受信し、前記プリセット周期に応じてシステム帯域幅又は前記プレスケジューリングサービスの占有帯域幅へ切り替えて前記プレスケジューリングサービスを受信することに用いられる。
【００４５】
可能な一実現形態においては、前記プロセッサは、具体的には、
前記狭い帯域幅の物理下りリンク制御チャネルの下りリンク制御情報において前記基地局により送信された前記プレスケジューリングサービスのプロセス識別子、及び前記端末を指示して前記システム帯域幅又は前記プレスケジューリングサービスの占有帯域幅へ切り替える第１時間情報を前記受信機により受信し、前記下りリンク制御情報は前記端末が前記システム帯域幅又は前記プレスケジューリングサービスの占有帯域幅へ切り替えるようにトリガーすることに用いられることと、
前記基地局が前記下りリンク制御情報により送信した、前記端末が前記狭い帯域幅受信モードに戻るように指示する第２時間情報を前記受信機により受信し、又はシステム帯域幅の物理下りリンク制御チャネルのプリセット領域において、前記端末が前記狭い帯域幅受信モードに戻るようにトリガーするためのトリガー信号を検出することと、
前記第１時間情報及び第２時間情報に基づき又は前記第１時間情報及び前記トリガー信号に基づき、システム帯域幅又は前記プレスケジューリングサービスの占有帯域幅へ切り替えて前記プレスケジューリングサービスを受信することとに用いられる。
【００４６】
可能な一実現形態においては、前記プレスケジューリングサービスの占有帯域幅がシステム帯域幅であると、プレスケジューリングサービスを伝送する必要がある場合、前記プロセッサは、具体的には、システム帯域幅へ切り替えて前記プレスケジューリングサービスを受信することに用いられ、
前記プレスケジューリングサービスの占有帯域幅がシステム帯域幅の一部であると、プレスケジューリングサービスを伝送する必要がある場合、前記プロセッサは、具体的には、前記プレスケジューリングサービスの占有帯域幅へ切り替えて前記プレスケジューリングサービスを受信することに用いられ、
前記プレスケジューリングサービスの占有帯域幅が前記狭い帯域幅内に位置すると、プレスケジューリングサービスを伝送する必要がある場合、前記プロセッサは、具体的には、前記プレスケジューリングサービスの占有帯域幅へ切り替えて前記プレスケジューリングサービスを受信し、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを前記受信機により受信することに用いられる。
【００４７】
本発明の実施例の第７形態は、１組のプログラムコードを含み、本発明の実施例の第１形態のいずれかの実現形態に記載の方法を実行するためのコンピュータ記憶媒体を提供する。
【００４８】
本発明の実施例の第８形態は、１組のプログラムコードを含み、本発明の実施例の第２形態のいずれかの実現形態に記載の方法を実行するためのコンピュータ記憶媒体を提供する。
【発明の効果】
【００４９】
本発明の実施例を実施すると、下記有益な効果を有する。
【００５０】
基地局は、切り替えメッセージを送信することで、端末が切り替えた狭い帯域幅受信モードを指示し、狭い帯域幅受信モードで、端末はシステム帯域幅より小さい狭い帯域幅において信号を受信することができ、大きなシステム帯域幅を検出する必要がなくなり、端末の電力損失及び検出信号の遅延を低減させることができ、狭い帯域幅のＰＤＣＣＨがＵＥ固有探索空間及び固定の制御チャネルユニットのアグリゲーションレベルだけを含むように設定して、端末の検出する情報量を減少させることができ、それにより更に端末の電力損失を低減させることができ、プレスケジューリングサービスを伝送する必要がある場合、基地局は端末がシステム帯域幅又はプレスケジューリングサービスの占有帯域幅へ切り替えてプレスケジューリングサービスを受信するようにスケジューリングすることができ、且つ端末はシステム帯域幅又はプレスケジューリングサービスの占有帯域幅におけるＰＤＣＣＨを検出する必要もなくなり、このように端末のシステム帯域幅における電力損失も効果的に制御され、最終的に端末の電力損失とシステム性能のバランスを実現する。
【図面の簡単な説明】
【００５１】
本発明の実施例又は従来技術における技術案を明確に説明するために、以下、実施例において必要な図面について簡単に説明するが、明らかに、以下に記載する図面は本発明の一部の実施例に過ぎない。当業者にとっては、創造的な労力を払わない前提で、更にこれらの図面に基づいて他の図面に想到しうる。
【００５２】
【図１】本形態の実施例における通信システムのアーキテクチャを示す模式図である。
【図２】本発明のサービス伝送方法の第１実施例のフロー模式図である。
【図３】本発明のサービス伝送方法の第２実施例のフロー模式図である。
【図４】図３に示すサービス伝送方法でプレスケジューリングサービス受信を行う模式図である。
【図５】本発明のサービス伝送方法の第３実施例のフロー模式図である。
【図６】本発明の実施例の狭い帯域幅においてプレスケジューリングサービスを伝送する模式図である。
【図７】本発明のサービス伝送方法の第４実施例のフロー模式図である。
【図８】本発明のサービス伝送方法の第５実施例のフロー模式図である。
【図９】本発明のサービス伝送方法の第６実施例のフロー模式図である。
【図１０】本発明の基地局の第１実施例の構造模式図である。
【図１１】本発明の基地局の第２実施例の構造模式図である。
【図１２】本発明の端末の第１実施例の構造模式図である。
【図１３】本発明の端末の第２実施例の構造模式図である。
【発明を実施するための形態】
【００５３】
本発明の明細書及び特許請求の範囲と上記図面中の用語「含む」、「有する」及びこれらの他のいかなる変形は、非排他的な包含を網羅することを意図される。たとえば一連のステップ又はユニットを含む過程、方法、システム、製品又は装置は、列挙したステップ又はユニットに限定されず、選択的に列挙していないステップ又はユニットを含み、又は選択的にこれらの過程、方法、製品又は装置固有の他のステップ又はユニットを含む。
【００５４】
人々の通信ニーズの継続的な向上につれて、通信技術は急速に発展しており、より大きな帯域幅とより速い上下りリンク伝送速度とをユーザーに提供することができる。たとえば、５Ｇシステムにおいては、２００ＭＨｚまで大きいシステム帯域幅を提供することができる。しかしながら、システム帯域幅の拡張に従って、端末は大きなシステム帯域幅においてＰＤＣＣＨを受信すると、端末の電力消費量が高くなり、常に狭い帯域幅で動作していると、システム性能が影響を受け、そしてプレスケジューリングサービスが正常に伝送することができなくなってしまう。従って、本発明の実施例はサービス伝送方法を提供し、端末がシステム帯域幅より小さい狭い帯域幅へ切り替えて動作することができ、それにより端末の電力損失を節約し、また、プレスケジューリングサービスを伝送する必要がある場合、システム帯域幅又はプレスケジューリングサービスの占有帯域幅へ切り替えてプレスケジューリングサービスを受信することもできる。説明しやすくするために、本発明の実施例においては５Ｇシステムを例として説明するが、当業者であれば、本発明の実施例における実施の形態が同様に従来の通信システム及び例えば６Ｇ、７Ｇの未来の高いレベルの通信システムに適用することができ、本発明の実施例がぜんぜん限定していないことを理解すべきである。
【００５５】
以下、図面を参照しながら本発明の実施例のサービス伝送方法及び装置について詳細に説明する。
【００５６】
図１に示すように、本形態の実施例における通信システムのアーキテクチャを示す模式図である。基地局及び少なくとも１つの端末を備えることができ、端末はユーザー装置（Ｕｓｅｒ  Ｅｑｕｉｐｍｅｎｔ、ＵＥ）と呼ばれてもよい。
【００５７】
基地局は進化型ノードＢ（ｅｖｏｌｖｅｄ  Ｎｏｄｅ  Ｂ、ｅＮＢ）、ノードＢ（Ｎｏｄｅ  Ｂ、ＮＢ）、基地局コントローラ（Ｂａｓｅ  Ｓｔａｔｉｏｎ  Ｃｏｎｔｒｏｌｌｅｒ、ＢＳＣ）、ベーストランシーバ基地局（Ｂａｓｅ  Ｔｒａｎｓｃｅｉｖｅｒ  Ｓｔａｔｉｏｎ、ＢＴＳ）、ホーム基地局（たとえば、Ｈｏｍｅ  ｅｖｏｌｖｅｄ  ＮｏｄｅＢ、又はＨｏｍｅ  Ｎｏｄｅ  Ｂ、ＨＮＢ）、ベースバンドユニット（ＢａｓｅＢａｎｄ  Ｕｎｉｔ、ＢＢＵ）等であってもよい。それは当業者により基地局トランシーバ、無線基地局、無線トランシーバ、トランシーバ機能、基地局サブシステム（Ｂａｓｅ  Ｓｔａｔｉｏｎ  Ｓｕｂ  ｓｙｓｔｅｍ、ＢＳＳ）又はほかの適切な用語と呼ばれてもよい。それは、ＰＤＣＣＨにおいて、具体的には伝送フォーマット、リソース割り当て、上りリンクスケジューリング許可、パワー制御及び上りリンク再伝送情報等を含むことができるスケジューリング下りリンク制御情報をキャリアすることができる。ＵＥへサービスの下りリンクデータを伝送し、端末の再伝送フィードバック等を受信することもできる。プレスケジューリングサービスに対して、基地局は初めてスケジューリングする時に端末へ時間周波数ドメインリソースを割り当てることができ、端末は該時間周波数ドメインリソースを周期的に使用することができ、このように、プレスケジューリングサービスに対して、基地局は毎回端末へリソースを割り当てる必要がなく、それによりＰＤＣＣＨのオーバーヘッドを節約し、端末も毎回ＰＤＣＣＨを検出する必要がなく、それにより端末の電力損失を低減させることができる。
【００５８】
端末はセルラーホン、スマートフォン、セッションイニシエーションプロトコル（Ｓｅｓｓｉｏｎ  Ｉｎｉｔｉａｔｉｏｎ  Ｐｒｏｔｏｃｏｌ、ＳＩＰ）電話、ラップトップコンピューター、パーソナルデジタルアシスタント（Ｐｅｒｓｏｎａｌ  Ｄｉｇｉｔａｌ  Ａｓｓｉｓｔａｎｔ、ＰＤＡ）、衛星ラジオ、全地球測位システム、マルチメディア装置、ビデオ装置、デジタルオーディオプレーヤー（たとえば、ＭＰ３プレーヤー）、カメラ、ゲーム機又は同様の機能を持つ任意の他の装置を含むことができる。端末は当業者により移動局、ユーザー局、移動ユニット、ユーザーユニット、無線ユニット、遠隔ユニット、移動装置、無線装置、無線通信装置、遠隔装置、移動ユーザー局、アクセス端末、移動端末、無線端末、遠隔端末、ハンドヘルドデバイス、ユーザーエージェント、移動クライアント、クライアント又は他の適切な用語と呼ばれてもよい。基地局により設定された制御情報及び基地局によりスケジューリングされた時間周波数ドメインリソースを受信して上りリンクサービスデータ及び再伝送フィードバック情報の伝送を行うことができる。さらに基地局のスケジューリングに応じて狭い帯域幅とシステム帯域幅との間に切り替えることができる。
【００５９】
端末の電力損失を低減させるために、本発明の実施例においては端末がシステム帯域幅より小さい狭い帯域幅において動作するように設定することができ、プレスケジューリングサービスの正常伝送を確保するために、本発明の実施例は、さらに、プレスケジューリングサービスを伝送する必要がある場合に、端末がシステム帯域幅又は前記プレスケジューリングサービスの占有帯域幅へ切り替えてプレスケジューリングサービスを受信するようにスケジューリングすることができる。
【００６０】
以下、図２−図７を参照しながら、本発明のサービス伝送方法について詳細に説明する。
【００６１】
図２に示すように、本発明のサービス伝送方法の第１実施例のフロー模式図である。本実施例においては、前記サービス伝送方法は、以下のステップＳ２０１とＳ２０２を含む。
【００６２】
Ｓ２０１、基地局は端末へ狭い帯域幅受信モードの切り替えメッセージを送信し、前記端末が指定の狭い帯域幅へ切り替えて情報を受信するように指示する。
【００６３】
前記狭い帯域幅の幅がシステム帯域幅の幅より小さい。前記切り替えメッセージは、端末に指示する前記狭い帯域幅受信モードに入る時間及び前記狭い帯域幅受信モードに入る時の狭い帯域幅の帯域における位置を含むことができる。
【００６４】
選択肢として、前記狭い帯域幅受信モードに入る時間は、前記狭い帯域幅受信モードに入る開始時間を含むことができ、端末が該切り替えメッセージを受信した後、指定の開始時間に狭い帯域幅受信モードに入り、基地局により送信された狭い帯域幅受信モードを停止するメッセージを受信する時に、システム帯域幅へ切り替え、又は基地局により送信された他の狭い帯域幅又はシステム帯域幅へ切り替えるメッセージを受信する時に、現在の狭い帯域幅から他の狭い帯域幅又はシステム帯域幅へ切り替えるようにしてもよい。
【００６５】
前記狭い帯域幅受信モードに入る時間は前記狭い帯域幅受信モードに入る開始時間を含む以外、又は前記狭い帯域幅受信モードに入る終止時間を含んでもよく、端末は指定の開始時間に狭い帯域幅受信モードに入り、指定の終止時間にシステム帯域幅へ切り替えて情報を受信するようにしてもよい。
【００６６】
選択肢として、基地局は高層シグナリング、例えば無線リソース制御（Ｒａｄｉｏ  Ｒｅｓｏｕｒｃｅ  Ｃｏｎｔｒｏｌ、ＲＲＣ）、又は物理層シグナリング、例えばＤＣＩにより、端末が狭い帯域幅のみを受信するモードへ切り替えるように指示することができる。基地局は、端末の狭い帯域幅受信モードの開始する具体的な時点、及び狭い帯域幅の帯域における具体的な位置を指示することができる。このように、端末は該切り替えメッセージに基づいて指定の狭い帯域幅へ切り替えて情報を受信することができる。狭い帯域幅受信モードで、端末は自体の高周波帯域幅を、システムにより端末を指示した受信する周波数ドメイン幅すなわち指定の狭い帯域幅のみを受信するようにチューニング（ｒｅｔｕｎｅ）する。たとえば、基地局は端末の狭い帯域幅が６つのＰＲＢである（１５Ｋ  Ｈｚサブキャリア間隔を例とすると、１．４ＭＨｚである）と指示すると、端末は自体の高周波ユニットをシステムにより指示された狭い帯域幅の位置する帯域位置の６つのＰＲＢまでチューニングする。この場合、端末はこの６つのＰＲＢに位置する信号しかを受信できない。受信する高周波帯域幅が減少するため、端末は節電効果を得ることができる。端末は広いシステム帯域幅において信号を検出する必要がなく、システム帯域幅より小さい狭い帯域幅において信号を受信し、及び信号を検出すればよく、端末の動作量を減少させ、端末の電力損失を低減させ、端末の信号を受信する効率を向上させる。
【００６７】
なお、マシンタイプコミュニケーション（Ｍａｃｈｉｎｅ  Ｔｙｐｅ  Ｃｏｍｍｕｎｉｃａｔｉｏｎｓ、ＭＴＣ）をサポートする端末に対して、１．４ＭＨｚすなわち６つのＰＲＢ帯域幅において下りリンク信号を復調することができる。このタイプの端末に対しては、下りリンク帯域幅が小さくなるため、端末の電力損失が節約される。しかし、このタイプの端末が狭い帯域幅、例えば６つのＰＲＢ帯域幅のみにおいて動作できるので、端末の機能が大きく制限される。本発明の実施例における狭い帯域幅の幅がシステム帯域幅の幅より小さく、すなわち本発明の実施例における狭い帯域幅はシステム帯域幅の周波数ドメインにおける幅より小さい帯域幅を意味する。従来の４Ｇシステムにおける１．４ＭＨｚの帯域幅とは、概念が異なる。たとえば、従来の４Ｇシステムにおける典型的なシステム帯域幅は１０ＭＨｚ及び２０ＭＨｚであり、システム帯域幅が１０ＭＨｚである場合、本発明の実施例における狭い帯域幅は２ＭＨｚ、５ＭＨｚ等の１０ＭＨｚより小さい帯域幅であってもよく、システム帯域幅が２０ＭＨｚである場合、本発明の実施例における狭い帯域幅は５ＭＨｚ、１０ＭＨｚ、１２ＭＨｚ等の２０ＭＨｚより小さい帯域幅であってもよい。システム帯域幅が１．４ＭＨｚである場合、本発明の実施例における狭い帯域幅は０．６ＭＨｚ等の１．４ＭＨｚより小さい帯域幅であってもよい。大きな帯域幅の５Ｇシステムに対しては、狭い帯域幅は同様に５Ｇシステムにおけるシステム帯域幅より小さい帯域幅であってもよい。
【００６８】
端末の電力損失は主に以下の２点に示される。一方、端末はシステム帯域幅全体において信号を検出し、他方、端末はＰＤＣＣＨをブラインドテストし、ＰＤＣＣＨに対するブラインドテストは異なる制御チャネルユニットのアグリゲーションレベル例えば２、４、８及び異なるＤＣＩ長さ等を検出することを含み、端末の検出するＤＣＩは単一端末に対するＤＣＩを含み、ＵＥの固有探索空間において検出する必要があり、複数の端末に対するＤＣＩも含み、共通探索空間において検出する必要がある。検出する内容が多いことも、端末の電力損失が高くなることを引き起こし、この場合、さらに前記狭い帯域幅に位置する物理下りリンク制御チャネルにおいて前記端末に対する下りリンク制御情報を送信することができる。
【００６９】
前記下りリンク制御情報は前記端末に対応する端末の固有探索空間に位置し、且つ前記端末に対応する制御チャネルユニットのアグリゲーションレベルを用いる。
【００７０】
狭い帯域幅受信モードで、基地局が端末をスケジューリングするためのＰＤＣＣＨは基地局により指示された狭い帯域幅に位置する。端末がこんなＰＤＣＣＨを受信する複雑度を減少させるために、狭い帯域幅に位置するＰＤＣＣＨに、狭い帯域幅におけるすべての端末に対するＤＣＩを含めなく、異なる単一の端末に対するＤＣＩを含めることができ、又は、狭い帯域幅に位置するＰＤＣＣＨは、共通探索空間を含まず、ＵＥ固有探索空間のみを含む。また、異なる単一端末に対するＤＣＩは、その制御チャネルユニットのアグリゲーションレベルが固定であってもよく、たとえば基地局が端末へ狭い帯域幅受信モードを設定する時に端末へその制御チャネルユニットのアグリゲーションレベルを指定するようにしてもよい。
【００７１】
ＰＤＣＣＨにＵＥ固有探索空間及び固定の制御チャネルユニットのアグリゲーションレベルのみが含まれ、従って、端末が狭い帯域幅に位置するＰＤＣＣＨを受信する時に検出する必要がある情報量を減少させることができ、それにより更に端末の電力損失を低減させることができる。
【００７２】
Ｓ２０２、プレスケジューリングサービスを伝送する必要がある場合、前記基地局は前記端末がシステム帯域幅又は前記プレスケジューリングサービスの占有帯域幅へ切り替えて、前記プレスケジューリングサービスを受信するようにスケジューリングする。
【００７３】
プレスケジューリングサービスの相関情報がシステム帯域幅において端末へ予め設定され、従って、端末が狭い帯域幅からシステム帯域幅又はプレスケジューリングサービスの占有帯域幅へ切り替えてプレスケジューリングサービスを受信する時に、システム帯域幅又はプレスケジューリングサービスの占有帯域幅におけるＰＤＣＣＨを検出する必要がなく、このように端末のシステム帯域幅における電力損失も効果的に制御される。
【００７４】
図３に示すように、本発明のサービス伝送方法の第２実施例のフロー模式図である。本実施例においては、前記方法は以下のステップＳ３０１〜Ｓ３０４を含む。
【００７５】
Ｓ３０１、基地局は端末へ狭い帯域幅受信モードの切り替えメッセージを送信し、前記端末が指定の狭い帯域幅へ切り替えて情報を受信すると指示する。
【００７６】
前記狭い帯域幅の幅がシステム帯域幅の幅より小さい。
【００７７】
Ｓ３０２、前記端末へ前記プレスケジューリングサービスの相関情報を送信する。
【００７８】
前記相関情報は、前記プレスケジューリングサービスのプロセス識別子情報、前記プレスケジューリングサービスの周期情報及び前記基地局が前記プレスケジューリングサービスへ割り当てたリソース情報を含むことができるが、これらに限られない。
【００７９】
プロセス識別子情報は、異なるプレスケジューリングサービスを区別することに用いられ、基地局は端末が狭い帯域幅受信モードに入る前、予め端末に対してプレスケジューリングサービス送信の相関情報を設定することができる。基地局は端末へ複数のプレスケジューリングサービスのプロセス（ｐｒｏｃｅｓｓ）を設定することができ、区別するために、異なるプロセスはプロセス識別子に対応することができる。異なるプロセスに対応するプレスケジューリングサービスの周期又は使用するリソースは一般的に完全に同様であることはない。
【００８０】
当然ながら、プレスケジューリングサービスが１つだけである場合、プロセス識別子情報を送信しなくてもよい。
【００８１】
Ｓ３０３、基地局は前記端末の前記狭い帯域幅受信モードでの期間情報及び前記端末の前記プレスケジューリングサービス受信用の期間情報を設定して、前記端末へ送信する。
【００８２】
Ｓ３０４、前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて、前記プレスケジューリングサービスを受信するようにスケジューリングする。
【００８３】
基地局は端末がどんな期間に狭い帯域幅受信モードにあるか、どんな期間に端末がシステム帯域幅又は前記プレスケジューリングサービスの占有帯域幅までチューニング（ｒｅｔｕｎｅ）してプレスケジューリングサービスを受信するかを設定することができ、複数のプレスケジューリングサービスを含む場合、さらに端末がシステム帯域幅においてどれらのプレスケジューリングサービスプロセスを受信するかを設定することができる。
【００８４】
図４に示すように、図３に示すサービス伝送方法でプレスケジューリングサービス受信を行う模式図である。基地局は端末がＴ１〜Ｔ２期間に狭い帯域幅受信モードにあり、Ｔ３〜Ｔ４期間に基地局により転送されたプレスケジューリングサービスを受信し、Ｔ５〜Ｔ６期間に狭い帯域幅受信モードに戻るように予め設定することができる。時間Ｔ２〜Ｔ３は端末が狭い帯域幅からステム帯域幅又はプレスケジューリングサービスの占有帯域幅までチューニングするために残った時間間隔である。Ｔ４〜Ｔ５は端末がシステム帯域幅又はプレスケジューリングサービスの占有帯域幅から狭い帯域幅までチューニングする時間である。
【００８５】
また、基地局は前記プレスケジューリングサービスの周期情報に基づいて前記狭い帯域幅受信モードでの前記端末がプリセット周期で、システム帯域幅又は前記プレスケジューリングサービスの占有帯域幅へ切り替えて、前記プレスケジューリングサービスを受信するように設定することができる。この場合、図４の中、Ｔ１〜Ｔ４は１つの周期であり、Ｔ５から、端末は、Ｔ１〜Ｔ４の動作を繰り返す。
【００８６】
本実施例においては、狭い帯域幅受信モードに入り及びプレスケジューリングサービスを受信するための具体的な期間を指定することにより、基地局は少ない回数を設定する前提でプレスケジューリングサービスの伝送を行うことができ、基地局のオーバーヘッドの低減に寄与する。
【００８７】
上記統一設定の伝送方法以外、さらにトリガー式方法でプレスケジューリングサービスの伝送を行うことができる。
【００８８】
図５に示すように、本発明のサービス伝送方法の第３実施例のフロー模式図である。本実施例においては、ステップＳ５０１−Ｓ５０２は図３中のステップＳ３０１−Ｓ３０２と同じであり、ここでは詳細な説明は省略する。前記方法は、さらに、以下のステップＳ５０３〜Ｓ５０５を含む。
【００８９】
Ｓ５０３、基地局は、前記狭い帯域幅の物理下りリンク制御チャネルの下りリンク制御情報において、前記プレスケジューリングサービスのプロセス識別子、及び前記端末が前記システム帯域幅又は前記プレスケジューリングサービスの占有帯域幅へ切り替える第１時間情報を送信する。
【００９０】
前記下りリンク制御情報は前記端末が前記システム帯域幅又は前記プレスケジューリングサービスの占有帯域幅へ切り替えるようにトリガーすることに用いられる。
【００９１】
Ｓ５０４、前記下りリンク制御情報において前記端末が前記狭い帯域幅受信モードに戻る第２時間情報を送信し、又はシステム帯域幅の物理下りリンク制御チャネルのプリセット領域において前記端末が前記狭い帯域幅受信モードに戻るようにトリガーするトリガー信号を伝送する。
【００９２】
Ｓ５０５、前記第１時間情報及び第２時間情報に基づき又は前記第１時間情報及び前記トリガー信号に基づき、前記端末がシステム帯域幅又は前記プレスケジューリングサービスの占有帯域幅へ切り替えて前記プレスケジューリングサービスを受信するようにスケジューリングする。
【００９３】
端末が狭い帯域幅受信モードにある場合、基地局は狭い帯域幅ＰＤＣＣＨにより、端末がシステム帯域幅又は前記プレスケジューリングサービスの占有帯域幅までチューニングしてプレスケジューリングサービスを受信するようにトリガーすることができる。基地局は狭い帯域幅ＰＤＣＣＨにおいて伝送されたＤＣＩをトリガー信号とすることができ、ＤＣＩは端末が受信しようとするプレスケジューリングサービスプロセス識別子（１つ又は複数）、及び端末がシステム帯域幅又は前記プレスケジューリングサービスの占有帯域幅までチューニングする時間を指示することができる。
【００９４】
端末へいつシステム帯域幅から狭帯域受信モードまで戻るかを知らせるために、基地局はさらに端末が狭帯域受信モードに戻る時間をＤＣＩにおいて指示することができる。又は基地局はシステム帯域幅において、予め約束したリソースで伝送されたトリガー信号により端末が狭帯域受信モードに戻るようにトリガーし、たとえば、システム帯域幅のＰＤＣＣＨにおいて予め決定された時間周波数位置、例えば１つまたは複数のリソース要素グループ（Ｒｅｓｏｕｒｃｅ  Ｅｌｅｍｅｎｔ  Ｇｒｏｕｐ、ＲＥＧ）において複数のｂｉｔの信号をトリガー信号として伝送することができる。なお、ここでは、端末の電力損失の節約を配慮して、端末はシステム帯域幅におけるＰＤＣＣＨを検出しなくてもよく、該トリガー信号の位置する時間周波数位置のみを検出すればよい。
【００９５】
当然ながら、上記ＤＣＩで帯域幅切り替えをトリガーし、プレスケジューリングサービスの受信開始時間及び狭い帯域幅受信モードに戻る時間を指示し、すなわちＤＣＩがトリガーして、プレスケジューリングサービスを受信する時間起点及び終点を指示する以外、さらに下記トリガー方式を用いることができる。
【００９６】
ＤＣＩは切り替えをトリガーし、狭い帯域幅受信モードからシステム帯域幅又はプレスケジューリングサービスの占有帯域幅へ切り替える切り替え遅延を指示し、トリガー信号に切り替え遅延を加えるとプレスケジューリングサービスを受信する時間起点を得ることができ、次にＤＣＩにより狭い帯域幅受信モードに戻る時間を指示し、それによりプレスケジューリングサービスを受信する時間起点及び終点を決定し、
又は、上記２種の方式ではプレスケジューリングサービスを受信する時間終点情報もプリセットのリソースで記憶するトリガー信号によりトリガーすることができ、該プリセットのリソースは同様にシステム帯域幅ＰＤＤＣＨにおける１つまたは複数のＲＥＧ内の複数のｂｉｔであってもよい。且つこのトリガー信号は端末が検出した直後に狭い帯域幅受信モードに戻るようにトリガーするようにしてもよく、プリセット時間後に狭い帯域幅受信モードに戻るようにしてもよく、それによりプレスケジューリングサービスを受信する時間終点を決定する。
【００９７】
本実施例においては、トリガー方式によりプレスケジューリングサービスの伝送を行うことで、基地局スケジューリングの柔軟性を向上させることができる。
【００９８】
なお、以上の図２−図５に示される実施例においては、具体的にはシステム帯域幅までスケジューリングしてプレスケジューリングサービスを受信するか、又はプレスケジューリングサービスの占有帯域幅までスケジューリングしてプレスケジューリングサービスを受信するかということは、プレスケジューリングサービスの占有帯域幅に応じて確定できる。
【００９９】
プレスケジューリングサービスの占有する周波数領域リソースがシステム帯域幅全体を占有しない可能性があるため、端末はプレスケジューリングサービスをチューニングして受信する場合、その受信帯域幅が基地局により設定されたプレスケジューリングサービスを受信できればよく、システム帯域幅全体の下りリンクデータを受信しなくてもよい可能性がある。従って、端末は基地局により設定されたプレスケジューリングサービスの帯域幅に応じて、端末がプレスケジューリングサービスをチューニングして受信する帯域幅を確定でき、又は基地局は端末がプレスケジューリングサービスをチューニングして受信するに必要な帯域幅を端末へ設定できる。
【０１００】
たとえば、前記プレスケジューリングサービスの占有帯域幅がシステム帯域幅であると、プレスケジューリングサービスを伝送する必要がある場合、前記基地局は前記端末がシステム帯域幅へ切り替えて前記プレスケジューリングサービスを受信するようにスケジューリングすることができ、
前記プレスケジューリングサービスの占有帯域幅がシステム帯域幅の一部であると、プレスケジューリングサービスを伝送する必要がある場合、前記基地局は前記端末が前記プレスケジューリングサービスの占有帯域幅へ切り替えて前記プレスケジューリングサービスを受信するようにスケジューリングすることができ、
前記プレスケジューリングサービスの占有帯域幅が前記狭い帯域幅内に位置すると、プレスケジューリングサービスを伝送する必要がある場合、前記基地局は前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することができる。この状況を、基地局が狭い帯域幅においてプレスケジューリングサービスをスケジューリングして伝送することとしてもよい。
【０１０１】
具体的には図６に示すように、本発明の実施例の狭い帯域幅においてプレスケジューリングサービスを伝送する模式図である。
【０１０２】
Ｔ１〜Ｔ２端末が狭い帯域幅受信モードにあり、狭い帯域幅のＰＤＣＣＨを維持することができ、基地局は、端末が狭い帯域幅においてプレスケジューリングサービスを受信するように狭い帯域幅のＰＤＣＣＨによりスケジューリングすることができ、図６に示されるように、Ｔ３〜Ｔ４期間に狭い帯域幅におけるプレスケジューリングサービスを受信し、Ｔ２〜Ｔ３が狭い帯域幅受信モードからプレスケジューリングサービスの伝送へ切り替えるに必要な時間である。
【０１０３】
この場合にプレスケジューリングサービスの用いる周波数領域リソースが前記狭い帯域幅内に位置する。従って、端末は、他の帯域までチューニングせずに、狭い帯域幅内においてプレスケジューリングサービスを受信することができる。このようなプレスケジューリングサービスに対して、基地局は狭い帯域幅のＰＤＣＣＨにより狭い帯域幅におけるプレスケジューリングサービスを直接スケジューリングすることができ、図３に示すように、狭い帯域幅におけるプレスケジューリングサービスをスケジューリングする模式図である。基地局が狭い帯域幅のＰＤＣＣＨにより狭い帯域幅におけるプレスケジューリングサービスを直接スケジューリングする場合、基地局は、狭帯域ＰＤＣＣＨにおいて伝送されるＤＣＩにおいて、プレスケジューリングサービスの変調符号化方式（Ｍｏｄｕｌａｔｉｏｎ  ａｎｄ  Ｃｏｄｉｎｇ  Ｓｃｈｅｍｅ、ＭＣＳ）、プレスケジューリングサービスの占有する時間及び周波数リソースを指示する必要があり、帯域幅が狭いため、これらの制御情報のオーバーヘッドも小さい。なお、端末が狭い帯域幅においてプレスケジューリングサービスを受信する場合、端末は狭い帯域幅ＰＤＣＣＨを正常に検出することができる。これは、端末がシステム帯域幅においてプレスケジューリングサービスを受信することと異なり、システム帯域幅において端末がプレスケジューリングサービスを受信する場合、プレスケジューリングサービスの相関情報を取得したため、システム帯域幅のＰＤＣＣＨを検出する必要がない。当然ながら、プレスケジューリングサービスを狭い帯域幅において周期的に伝送すると、初回スケジューリングする時に狭い帯域幅ＰＤＣＣＨを検出し、狭い帯域幅において伝送されたプレスケジューリングサービスの相関情報を取得した後、後続で周期的に伝送する際に狭い帯域幅ＰＤＣＣＨを検出しなくてもよい。
【０１０４】
なお、以上の図２−図６に示されるサービス伝送方法の実施例は独立して実施してもよく、相互に組合せて実施してもよく、本発明の実施例は限定しない。
【０１０５】
図７に示すように、本発明のサービス伝送方法の第４実施例のフロー模式図である。本実施例においては、前記サービス伝送方法は、以下のステップＳ７０１とＳ７０２を含む。
【０１０６】
Ｓ７０１、端末は基地局により送信された狭い帯域幅受信モードの切り替えメッセージを受信し、指定の狭い帯域幅へ切り替えて情報を受信する。
【０１０７】
前記狭い帯域幅の幅がシステム帯域幅の幅より小さい。前記切り替えメッセージは、端末に指示する前記狭い帯域幅受信モードに入る時間及び前記狭い帯域幅受信モードに入る時の狭い帯域幅の帯域における位置を含む。
【０１０８】
選択肢として、端末は、さらに前記狭い帯域幅に位置する物理下りリンク制御チャネルにおける前記端末に対する下りリンク制御情報を受信することができ、
前記下りリンク制御情報は前記端末に対応する端末の固有探索空間に位置し、且つ前記端末に対応する制御チャネルユニットのアグリゲーションレベルを用いる。
【０１０９】
Ｓ７０２、プレスケジューリングサービスを伝送する必要がある場合、前記端末は前記基地局のスケジューリングに応じて、システム帯域幅又は前記プレスケジューリングサービスの占有帯域幅へ切り替えて前記プレスケジューリングサービスを受信する。
【０１１０】
図７は端末側の実施例の説明であり、その具体的な過程は図２に示す基地局側の実施例の説明を参照すればよく、ここでは詳細な説明は省略する。
【０１１１】
図８に示すように、本発明のサービス伝送方法の第５実施例のフロー模式図である。本実施例においては、前記サービス伝送方法は以下のステップＳ８０１〜Ｓ８０４を含む。
【０１１２】
Ｓ８０１、端末は基地局により送信された狭い帯域幅受信モードの切り替えメッセージを受信し、指定の狭い帯域幅へ切り替えて情報を受信する。
【０１１３】
Ｓ８０２、前記基地局により送信された前記プレスケジューリングサービスの相関情報を受信する。
【０１１４】
前記相関情報は、前記プレスケジューリングサービスのプロセス識別子情報、前記プレスケジューリングサービスの周期情報及び前記基地局が前記プレスケジューリングサービスへ割り当てたリソース情報を含む。
【０１１５】
Ｓ８０３、前記基地局により送信された前記端末の前記狭い帯域幅受信モードでの期間情報及び前記端末の前記プレスケジューリングサービス受信用の期間情報を受信する。
【０１１６】
Ｓ８０４、前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信する。
【０１１７】
選択肢として、端末はさらに前記基地局が前記プレスケジューリングサービスの周期情報に基づいて設定したプリセット周期を受信し、前記プリセット周期に応じてシステム帯域幅又は前記プレスケジューリングサービスの占有帯域幅へ切り替えて、前記プレスケジューリングサービスを受信することができる。
図８は端末側の実施例の説明であり、その具体的な過程は図３に示す基地局側の実施例の説明を参照すればよく、ここでは詳細な説明は省略する。
【０１１８】
図９に示すように、本発明のサービス伝送方法の第６実施例のフロー模式図である。本実施例においては、図８に示す実施例に比べて、ステップＳ９０１−Ｓ９０２はステップＳ８０１−Ｓ８０２と同じであり、ここでは詳細な説明は省略し、前記サービス伝送方法は、さらに、以下のステップＳ９０３〜Ｓ９０５を含む。
【０１１９】
Ｓ９０３、前記狭い帯域幅の物理下りリンク制御チャネルの下りリンク制御情報において前記基地局により送信された前記プレスケジューリングサービスのプロセス識別子、及び前記端末を指示して前記システム帯域幅又は前記プレスケジューリングサービスの占有帯域幅へ切り替える第１時間情報を受信する。
【０１２０】
前記下りリンク制御情報は、前記端末が前記システム帯域幅又は前記プレスケジューリングサービスの占有帯域幅へ切り替えるようにトリガーすることに用いられる。
【０１２１】
Ｓ９０４、前記基地局が前記下りリンク制御情報により送信した、前記端末が前記狭い帯域幅受信モードに戻るように指示する第２時間情報を受信し、又はシステム帯域幅の物理下りリンク制御チャネルのプリセット領域において、前記端末が前記狭い帯域幅受信モードに戻るようにトリガーするためのトリガー信号を検出する。
【０１２２】
Ｓ９０５、前記第１時間情報及び第２時間情報に基づき又は前記第１時間情報及び前記トリガー信号に基づき、システム帯域幅又は前記プレスケジューリングサービスの占有帯域幅へ切り替えて前記プレスケジューリングサービスを受信する。
【０１２３】
図９は端末側の実施例の説明であり、その具体的な過程は図５−図６に示す基地局側の実施例の説明を参照すればよく、ここでは詳細な説明は省略する。
【０１２４】
図１０に示すように、本発明の基地局の第１実施例の構造模式図である。本実施例においては、前記基地局は、
端末へ狭い帯域幅受信モードの切り替えメッセージを送信し、前記端末が幅がシステム帯域幅の幅より小さい指定の狭い帯域幅へ切り替えて情報を受信するように指示するための送信ユニット１００と、
プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングするためのスケジューリングユニット２００とを備える。
選択肢として、前記送信ユニット１００は、さらに、前記狭い帯域幅に位置する物理下りリンク制御チャネルにおいて前記端末に対する下りリンク制御情報を送信することに用いられ、
前記下りリンク制御情報は前記端末に対応する端末の固有探索空間に位置し、且つ前記端末に対応する制御チャネルユニットのアグリゲーションレベルを用いる。
【０１２５】
選択肢として、前記送信ユニット１００は、さらに、前記端末へ狭い帯域幅受信モードの切り替えメッセージを送信し、前記端末が指定の狭い帯域幅へ切り替えて情報を受信するように指示する前、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ送信することに用いられる。
【０１２６】
選択肢として、前記スケジューリングユニット２００は、具体的には、
前記端末の前記狭い帯域幅受信モードでの期間情報及び前記端末の前記プレスケジューリングサービス受信用の期間情報を設定して前記端末へ送信し、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングすることに用いられる。
【０１２７】
選択肢として、前記スケジューリングユニット２００は、具体的には、
前記プレスケジューリングサービスの周期情報に基づいて、前記狭い帯域幅受信モードでの前記端末がプリセット周期でシステム帯域幅又は前記プレスケジューリングサービスの占有帯域幅へ切り替えて、前記プレスケジューリングサービスを受信するように設定することに用いられる。
【０１２８】
選択肢として、前記スケジューリングユニット２００は、具体的には、
前記狭い帯域幅の物理下りリンク制御チャネルの下りリンク制御情報において、前記プレスケジューリングサービスのプロセス識別子、及び前記端末が前記システム帯域幅又は前記プレスケジューリングサービスの占有帯域幅へ切り替える第１時間情報を送信し、前記下りリンク制御情報は前記端末が前記システム帯域幅又は前記プレスケジューリングサービスの占有帯域幅へ切り替えるようにトリガーすることに用いられことと、
前記下りリンク制御情報において前記端末が前記狭い帯域幅受信モードに戻る第２時間情報を送信し、又はシステム帯域幅の物理下りリンク制御チャネルのプリセット領域において、前記端末が前記狭い帯域幅受信モードに戻るようにトリガーするトリガー信号を伝送することと、
前記第１時間情報及び第２時間情報に基づき又は前記第１時間情報及び前記トリガー信号に基づき、前記端末がシステム帯域幅又は前記プレスケジューリングサービスの占有帯域幅へ切り替えて、前記プレスケジューリングサービスを受信するようにスケジューリングすることとに用いられる。
【０１２９】
選択肢として、前記プレスケジューリングサービスの占有帯域幅がシステム帯域幅であると、プレスケジューリングサービスを伝送する必要がある場合、前記スケジューリングユニット２００は、具体的には、前記端末がシステム帯域幅へ切り替えて前記プレスケジューリングサービスを受信するようにスケジューリングすることに用いられ、
前記プレスケジューリングサービスの占有帯域幅がシステム帯域幅の一部であると、プレスケジューリングサービスを伝送する必要がある場合、前記スケジューリングユニット２００は、具体的には、前記端末が前記プレスケジューリングサービスの占有帯域幅へ切り替えて前記プレスケジューリングサービスを受信するようにスケジューリングすることに用いられ、
前記プレスケジューリングサービスの占有帯域幅が前記狭い帯域幅内に位置すると、プレスケジューリングサービスを伝送する必要がある場合、前記スケジューリングユニット２００は、具体的には、前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することに用いられる。
【０１３０】
図１１に示すように、本発明の基地局の第２実施例の構造模式図である。本実施例においては、前記基地局は、
プロセッサ１１０、メモリ１２０、送受信機１３０及びバス１４０を備え、前記プロセッサ１１０、メモリ１２０、送受信機１３０がバス１４０により接続され、前記送受信機１３０は信号を受送信し、端末と通信することに用いられ、前記メモリ１２０は１組のプログラムコードを記憶することに用いられ、前記プロセッサ１１０は前記メモリ１２０に記憶されたプログラムコードを呼び出し、
前記送受信機１３０により端末へ狭い帯域幅受信モードの切り替えメッセージを送信し、前記端末が幅がシステム帯域幅の幅より小さい指定の狭い帯域幅へ切り替えて情報を受信するように指示し、
プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングする操作を実行することに用いられる。
【０１３１】
選択肢として、前記プロセッサ１１０は、さらに、前記送受信機１３０により前記狭い帯域幅に位置する物理下りリンク制御チャネルにおいて前記端末に対する下りリンク制御情報を送信することに用いられ、
前記下りリンク制御情報は前記端末に対応する端末の固有探索空間に位置し、且つ前記端末に対応する制御チャネルユニットのアグリゲーションレベルを用いる。
【０１３２】
選択肢として、前記プロセッサ１１０は、さらに、前記送受信機１３０により端末へ狭い帯域幅受信モードの切り替えメッセージを送信し、前記端末が指定の狭い帯域幅へ切り替えて情報を受信するように指示する前、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ前記送受信機１３０により送信することに用いられる。
【０１３３】
選択肢として、前記プロセッサ１１０は、具体的には、
前記端末の前記狭い帯域幅受信モードでの期間情報及び前記端末の前記プレスケジューリングサービス受信用の期間情報を設定して前記端末へ送信し、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて、前記プレスケジューリングサービスを受信するようにスケジューリングすることに用いられる。
【０１３４】
選択肢として、前記プロセッサ１１０は、具体的には、
前記プレスケジューリングサービスの周期情報に基づいて、前記狭い帯域幅受信モードでの前記端末がプリセット周期でシステム帯域幅又は前記プレスケジューリングサービスの占有帯域幅へ切り替えて、前記プレスケジューリングサービスを受信するように設定することに用いられる。
【０１３５】
選択肢として、前記プロセッサ１１０は、具体的には、
前記狭い帯域幅の物理下りリンク制御チャネルの下りリンク制御情報において、前記プレスケジューリングサービスのプロセス識別子、及び前記端末が前記システム帯域幅又は前記プレスケジューリングサービスの占有帯域幅へ切り替える第１時間情報を送信し、前記下りリンク制御情報は前記端末が前記システム帯域幅又は前記プレスケジューリングサービスの占有帯域幅へ切り替えるようにトリガーすることに用いられことと、
前記下りリンク制御情報において前記端末が前記狭い帯域幅受信モードに戻る第２時間情報を送信し、又はシステム帯域幅の物理下りリンク制御チャネルのプリセット領域において、前記端末が前記狭い帯域幅受信モードに戻るようにトリガーするトリガー信号を伝送することと、
前記第１時間情報及び第２時間情報に基づき又は前記第１時間情報及び前記トリガー信号に基づき、前記端末がシステム帯域幅又は前記プレスケジューリングサービスの占有帯域幅へ切り替えて、前記プレスケジューリングサービスを受信するようにスケジューリングすることとに用いられる。
【０１３６】
選択肢として、前記プロセッサ１１０は、具体的には、
前記プレスケジューリングサービスの占有帯域幅がシステム帯域幅であると、プレスケジューリングサービスを伝送する必要がある場合、前記端末がシステム帯域幅へ切り替えて前記プレスケジューリングサービスを受信するようにスケジューリングし、
前記プレスケジューリングサービスの占有帯域幅がシステム帯域幅の一部であると、プレスケジューリングサービスを伝送する必要がある場合、前記端末が前記プレスケジューリングサービスの占有帯域幅へ切り替えて、前記プレスケジューリングサービスを受信するようにスケジューリングし、
前記プレスケジューリングサービスの占有帯域幅が前記狭い帯域幅内に位置すると、プレスケジューリングサービスを伝送する必要がある場合、前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することに用いられる。
【０１３７】
図１２に示すように、本発明の端末の第１実施例の構造模式図である。本実施例においては、前記端末は、
基地局により送信された狭い帯域幅受信モードの切り替えメッセージを受信するための受信ユニット３００と、
前記切り替えメッセージに基づいて幅がシステム帯域幅の幅より小さい指定の狭い帯域幅へ切り替えて情報を受信するための切り替えユニット４００とを備え、
前記切り替えユニット４００は、さらに、プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することに用いられる。
【０１３８】
選択肢として、前記受信ユニット３００は、さらに、前記狭い帯域幅に位置する物理下りリンク制御チャネルにおける前記端末に対する下りリンク制御情報を受信し、
前記下りリンク制御情報は前記端末に対応する端末の固有探索空間に位置し、且つ前記端末に対応する制御チャネルユニットのアグリゲーションレベルを用いることに用いられる。
【０１３９】
選択肢として、前記受信ユニット３００は、さらに、基地局により送信された狭い帯域幅受信モードの切り替えメッセージを受信する前、前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を受信することに用いられる。
【０１４０】
選択肢として、前記受信ユニット３００は、具体的には、
前記基地局により送信された前記端末の前記狭い帯域幅受信モードでの期間情報及び前記端末の前記プレスケジューリングサービス受信用の期間情報を受信することに用いられ、
前記切り替えユニット４００は、具体的には、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することに用いられる。
【０１４１】
選択肢として、前記受信ユニット３００は、具体的には、
前記基地局が前記プレスケジューリングサービスの周期情報に基づいて設定したプリセット周期を受信することに用いられ、
前記切り替えユニット４００は、具体的には、
前記プリセット周期に応じてシステム帯域幅又は前記プレスケジューリングサービスの占有帯域幅へ切り替えて、前記プレスケジューリングサービスを受信することに用いられる。
【０１４２】
選択肢として、前記受信ユニット３００は、具体的には、
前記狭い帯域幅の物理下りリンク制御チャネルの下りリンク制御情報において前記基地局により送信された前記プレスケジューリングサービスのプロセス識別子、及び前記端末を指示して前記システム帯域幅又は前記プレスケジューリングサービスの占有帯域幅へ切り替える第１時間情報を受信し、前記下りリンク制御情報は前記端末が前記システム帯域幅又は前記プレスケジューリングサービスの占有帯域幅へ切り替えるようにトリガーすることに用いられることと、
前記基地局が前記下りリンク制御情報により送信した、前記端末が前記狭い帯域幅受信モードに戻るように指示する第２時間情報を受信し、又はシステム帯域幅の物理下りリンク制御チャネルのプリセット領域において、前記端末が前記狭い帯域幅受信モードに戻るようにトリガーするためのトリガー信号を検出することとに用いられ、
前記切り替えユニット４００は、具体的には、
前記第１時間情報及び第２時間情報に基づき又は前記第１時間情報及び前記トリガー信号に基づき、システム帯域幅又は前記プレスケジューリングサービスの占有帯域幅へ切り替えて前記プレスケジューリングサービスを受信することに用いられる。
【０１４３】
選択肢として、前記プレスケジューリングサービスの占有帯域幅がシステム帯域幅であると、プレスケジューリングサービスを伝送する必要がある場合、前記切り替えユニット４００は、具体的には、システム帯域幅へ切り替えて前記プレスケジューリングサービスを受信することに用いられ、
前記プレスケジューリングサービスの占有帯域幅がシステム帯域幅の一部であると、プレスケジューリングサービスを伝送する必要がある場合、前記切り替えユニット４００は、具体的には、前記プレスケジューリングサービスの占有帯域幅へ切り替えて前記プレスケジューリングサービスを受信することに用いられ、
前記プレスケジューリングサービスの占有帯域幅が前記狭い帯域幅内に位置すると、プレスケジューリングサービスを伝送する必要がある場合、前記切り替えユニット４００は、具体的には、前記プレスケジューリングサービスの占有帯域幅へ切り替えて前記プレスケジューリングサービスを受信することに用いられ、前記受信ユニット３００は、さらに、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを受信することに用いられる。
【０１４４】
図１３に示すように、本発明の端末の第２実施例の構造模式図である。本実施例においては、前記端末は、
プロセッサ２１０、メモリ２２０、送信機２３０、受信機２４０及びバス２５０を備え、前記プロセッサ２１０、メモリ２２０、送信機２３０及び受信機２４０がバス２５０により接続され、前記送信機２３０は信号を送信することに用いられ、前記受信機２４０は信号を受信することに用いられ、前記送信機２３０及び前記受信機２４０がそれぞれ独立設置され又は集積設置され、前記メモリ２２０は１組のプログラムコードを記憶することに用いられ、前記プロセッサ２１０は前記メモリ２２０に記憶されたプログラムコードを呼び出し、
基地局により送信された狭い帯域幅受信モードの切り替えメッセージを前記受信機２４０により受信し、幅がシステム帯域幅の幅より小さい指定の狭い帯域幅へ切り替えて情報を受信し、
プレスケジューリングサービスを伝送する必要がある場合、前記基地局のスケジューリングに応じて、システム帯域幅又は前記プレスケジューリングサービスの占有帯域幅へ切り替えて前記プレスケジューリングサービスを受信する操作を実行することに用いられる。
【０１４５】
選択肢として、前記プロセッサ２１０は、さらに、前記受信機２４０により前記狭い帯域幅に位置する物理下りリンク制御チャネルにおける前記端末に対する下りリンク制御情報を受信し、
前記下りリンク制御情報は前記端末に対応する端末の固有探索空間に位置し、且つ前記端末に対応する制御チャネルユニットのアグリゲーションレベルを用いることに用いられる。
【０１４６】
選択肢として、前記プロセッサ２１０は、さらに、基地局により送信された狭い帯域幅受信モードの切り替えメッセージを前記受信機２４０により受信し、指定の狭い帯域幅へ切り替えて情報を受信する前に、前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記受信機２４０により受信することに用いられる。
【０１４７】
選択肢として、前記プロセッサ２１０は、具体的には、前記基地局により送信された前記端末の前記狭い帯域幅受信モードでの期間情報及び前記端末の前記プレスケジューリングサービス受信用の期間情報を前記受信機２４０により受信し、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することに用いられる。
【０１４８】
選択肢として、前記プロセッサ２１０は、具体的には、
前記基地局が前記プレスケジューリングサービスの周期情報に基づいて設定したプリセット周期を前記受信機２４０により受信し、前記プリセット周期に応じてシステム帯域幅又は前記プレスケジューリングサービスの占有帯域幅へ切り替えて前記プレスケジューリングサービスを受信することに用いられる。
【０１４９】
選択肢として、前記プロセッサ２１０は、具体的には、
前記狭い帯域幅の物理下りリンク制御チャネルの下りリンク制御情報において前記基地局により送信された前記プレスケジューリングサービスのプロセス識別子、及び前記端末を指示して前記システム帯域幅又は前記プレスケジューリングサービスの占有帯域幅へ切り替える第１時間情報を前記受信機２４０により受信し、前記下りリンク制御情報は前記端末が前記システム帯域幅又は前記プレスケジューリングサービスの占有帯域幅へ切り替えるようにトリガーすることに用いられることと、
前記基地局が前記下りリンク制御情報により送信した、前記端末が前記狭い帯域幅受信モードに戻るように指示する第２時間情報を前記受信機２４０により受信し、又はシステム帯域幅の物理下りリンク制御チャネルのプリセット領域において、前記端末が前記狭い帯域幅受信モードに戻るようにトリガーするためのトリガー信号を検出することと、
前記第１時間情報及び第２時間情報に基づき又は前記第１時間情報及び前記トリガー信号に基づき、システム帯域幅又は前記プレスケジューリングサービスの占有帯域幅へ切り替えて前記プレスケジューリングサービスを受信することとに用いられる。
【０１５０】
選択肢として、前記プレスケジューリングサービスの占有帯域幅がシステム帯域幅であると、プレスケジューリングサービスを伝送する必要がある場合、前記プロセッサ２１０は、具体的には、システム帯域幅へ切り替えて前記プレスケジューリングサービスを受信することに用いられ、
前記プレスケジューリングサービスの占有帯域幅がシステム帯域幅の一部であると、プレスケジューリングサービスを伝送する必要がある場合、前記プロセッサ２１０は、具体的には、前記プレスケジューリングサービスの占有帯域幅へ切り替えて前記プレスケジューリングサービスを受信することに用いられ、
前記プレスケジューリングサービスの占有帯域幅が前記狭い帯域幅内に位置すると、プレスケジューリングサービスを伝送する必要がある場合、前記プロセッサ２１０は、具体的には、前記プレスケジューリングサービスの占有帯域幅へ切り替えて前記プレスケジューリングサービスを受信し、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを前記受信機２４０により受信することに用いられる。
【０１５１】
本実施例において説明された基地局は、図２−図６を参照しながら説明された本発明の方法実施例における一部又はすべてのプロセスを実施し、及び図１０を参照しながら説明された本発明の装置実施例における一部又はすべての機能を実行することができ、本実施例において説明された端末は、図７−図９を参照しながら説明された本発明の方法実施例における一部又はすべてのプロセスを実施し、及び図１２を参照しながら説明された本発明の装置実施例における一部又はすべての機能を実行することができ、ここで詳細な説明は省略する。
【０１５２】
１つの又は複数の例においては、説明された機能はハードウェア、ソフトウェア、ファームウェア、又はこれらの任意の組み合わせによって実施することができる。ソフトウェアで実施すると、機能は１つの又は複数の命令又はコードとしてコンピュータ可読媒体に記憶する、又はコンピュータ可読媒体により送信することができ、且つハードウェアに基づく処理ユニットにより実行することができる。コンピュータ可読媒体は、データ記憶媒体等の有形媒体に対応するコンピュータ可読記憶媒体、またはたとえば通信プロトコルに従ってある位置から別の位置へのコンピュータプログラムの伝達を促進する任意の媒体を含む通信媒体を含むことができる。このようにして、コンピュータ可読媒体は概して、（１）非一時的な有形のコンピュータ可読記憶媒体、または（２）信号もしくはキャリアなどの通信媒体に対応することができる。データ記憶媒体は、１つもしくは複数のコンピュータまたは１つもしくは複数のプロセッサによってアクセスし、命令、コード、および／またはデータ構造を検索し、本発明に説明された技術を実施する任意の使用可能な媒体である。コンピュータプログラム製品は、コンピュータ可読媒体を含むことができる。
【０１５３】
例として、限定するものではないが、コンピュータ可読媒体は、ＲＡＭ、ＲＯＭ、ＥＥＰＲＯＭ、ＣＤ−ＲＯＭ、もしくは他の光ディスク記憶装置、磁気ディスク記憶装置、もしくは他の磁気的な記憶装置、フラッシュメモリ、あるいは命令またはデータ構造の形態で望ましいプログラムコードを記憶するために使用されることができ、そしてコンピュータによってアクセスされることができる他の任意の媒体、を備えることができる。また、いかなる接続もコンピュータ可読媒体と適合に称することができる。例えば、ウェブサイト、サーバ、またはその他のリモートソースから、同軸ケーブル、光ファイバーケーブル、ツイストペア、デジタルユーザー回線（ＤＳＬ）又は無線技術（たとえば、赤外線、無線電及びマイクロ波）を使用して命令を送信する場合、その同軸ケーブル、光ファイバーケーブル、ツイストペア、ＤＳＬ又は無線技術（たとえば、赤外線、無線電及びマイクロ波）は媒体の定義に含まれる。ただし、コンピュータ可読記憶媒体及びデータ記憶媒体は、接続、キャリア、信号又はその他の一時的媒体を含まず、非一時的な有形の記憶媒体であると理解すべきである。本明細書に用いるように、光ディスク及び磁気ディスクは、コンパクトディスク（ＣＤ）、レーザディスク、光学ディスク、デジタル多用途ディスク（ＤＶＤ）、ソフトディスク及びブルーレイディスクを含み、この場合、磁気ディスクは通常データを磁気的にコピーし、光ディスクはレーザを使用してデータを光学的にコピーする。上記の組み合わせもコンピュータ可読媒体の範囲に含まれるべきである。
【０１５４】
命令は、１つまたは複数のデジタル信号プロセッサ（ＤＳＰ）、汎用マイクロプロセッサ、特定用途向け集積回路（ＡＳＩＣ）、フィールドプログラマブルロジックアレイ（ＦＰＧＡ）、またはその他の同等の集積または個別論理回路などの、１つまたは複数のプロセッサによって実行され得る。したがって、本文では「プロセッサ」という用語は、上記の構造体、または本明細書に記載の技術の実施に適するその他の任意の構造体のいずれかを指し得る。さらに、態様によっては、本明細書に記載の機能を、符号化および復号のために構成された専用のハードウェアおよび／またはソフトウェアモジュール内に設け、または複合コーデックに組み込むことができる。また、前記技術は完全に１つまたは複数の回路又は論理素子に実施されてもよい。
【０１５５】
本発明の技術は、ワイヤレスハンドセット、集積回路（ＩＣ）、またはＩＣセット（例えばチップセット）を含む様々なデバイスまたは装置で実施可能である。本発明では、開示された技術を実行するように構成されたデバイスの機能的態様を強調するために、各構成要素、モジュール、またはユニットについて説明したが、これらは必ずしも異なるハードウェアユニットによる実現を必要としない。上述のように、適切なソフトウェアおよび／またはファームウェアとともに、様々なユニットを１つのコーデックハードウェアユニット内に統合するか、または上述のように１つまたは複数のプロセッサを含む相互作用可能なハードウェアユニットの集合によって提供してもよい。
【０１５６】
全明細書に言及された「１つの実施例」又は「一実施例」は、実施例に関連する固有の特徴、構造又は特性が本発明の少なくとも１つの実施例に含まれることを意味すると理解すべきである。従って、全明細書の各箇所に出現した「１つの実施例においては」又は「一実施例においては」は必ずしも同じ実施例を意味しない。また、これらの固有の特徴、構造又は特性は任意の適切な方式で１つ又は複数の実施例に組み合わせることができる。
【０１５７】
本発明の様々な実施例においては、上記各過程の順番番号が実行順序を意味せず、各過程の実行順序がその機能及び内部ロジックによって決定されるべきであり、本発明の実施例の実施過程を限定するものではないことを理解すべきである。
【０１５８】
また、本明細書における用語「システム」及び「ネットワーク」は、本明細書において交換して使用することができる。理解すべきなのは、本明細書における用語「及び／又は」は、単に関連対象の関連関係を説明するためのものにすぎず、３種の関係が存在することができることを示し、たとえば、Ａ及び／又はＢというのは、Ａが単独に存在し、Ａ及びＢが同時に存在し、Ｂが単独に存在するという３種の状況を示すことができる。また、本明細書における文字「／」は、一般的に、前後の関連対象が「又は」という関係であることを示す。
【０１５９】
本出願において提供される実施例においては、「Ａに対応するＢ」というのは、ＢがＡに関連し、Ａに基づいてＢを決定できると理解すべきである。なお、Ａに基づいてＢを決定することは、Ａだけに基づいてＢを決定することではなく、さらにＡ及び／又は他の情報に基づいてＢを決定できることも理解すべきである。
【０１６０】
当業者であれば、本明細書に開示されている実施例を参照して説明された様々な例示的なユニット及びアルゴリズムは、電子ハードウェア、コンピュータソフトウェア又は両方の組合せとして実現され得ることをさらに認識される。ハードウェア及びソフトウェアのこの互換性を明確に示すために、様々な例示的な構成及びステップについて、上記では概してそれらの機能性に関して説明した。これらの機能をハードウェア又はソフトウェア方式で実行するかは、技術案の特定応用及び設計制約条件によって決定される。当業者は各特定応用に対して異なる方法で説明される機能を実現することができるが、このような実現は本発明の範囲を超えると見なされるべきではない。
【０１６１】
簡便および簡潔な記載をするために、上記説明されたシステム、装置及びユニットの具体的な動作過程は、上記方法実施例における対応過程を参照すればよく、ここで詳細な説明を省略することが明瞭であることを当業者であれば明確に理解される。
【０１６２】
本出願により提供されるいくつかの実施例においては、開示したシステム、装置及び方法を他の様式で実現してもよいことを理解される。たとえば、以上説明された装置実施例は、例示的なものにすぎない。たとえば、前記ユニットの分割は、論理機能の分割にすぎず、実際に実現するとき、他の分割であってもよい。たとえば、複数のユニット又はコンポーネントを組み合わせてもよく、別のシステムと統合してもよいし、またはいくつかの特徴を無視しても行わなくてもよい。加えて、表示又は検討した相互接続または直接接続または通信接続は、いくつかのインターフェース、装置又はユニットによる間接接続または通信接続であってもよく、電子的に、機械的に、または他の形式であってもよい。
【０１６３】
分離部材として説明したユニットは、物理的に分離するものであってもよく、でなくてもよく、ユニットとして表示された部材が物理ユニットであってもよく、でなくてもよく、すなわち一箇所に位置しても良く、複数のネットワークユニットに分布してもよい。実際の必要に応じてその一部またはすべてのユニットを選択して本発明の目的を実現することができる。
【０１６４】
また、本発明の各実施例では、各機能ユニットが１つの処理ユニットに集積されてもよく、各ユニットが単独で物理的に存在してもよく、２つ以上のユニットが１つのユニットに集積されてもよい。
【０１６５】
以上に記述されたのは、本発明の具体的な実施の形態にすぎず、本発明の保護範囲は、これに限られず、本発明で披露された技術範囲内において、当業者によって簡単に想到できる変更や置換は、本発明の保護範囲に含まれる。そのため、本発明の保護範囲は、前記請求の範囲の保護範囲に準じるべきである。
【図１】
0006878600.tif 000002
【図２】
0006878600.tif 000003
【図３】
0006878600.tif 000004
【図４】
0006878600.tif 000005
【図５】
0006878600.tif 000006
【図６】
0006878600.tif 000007
【図７】
0006878600.tif 000008
【図８】
0006878600.tif 000009
【図９】
0006878600.tif 000010
【図１０】
0006878600.tif 000011
【図１１】
0006878600.tif 000012
【図１２】
0006878600.tif 000013
【図１３】
0006878600.tif 000014